(57)【要約】【課題】筐体を閉じた状態でも、側面に設けられた操作部の操作を容易にする。【解決手段】第一の筐体１と第二の筐体２がヒンジ部３を介して折り畳み可能に連結された端末装置であって、第一の筐体１の側面に設けられた操作部７と、第一の筐体１及び第二の筐体２を折り畳んだ状態で、操作部７が相対する第二の筐体２の側面に設けられた切り欠き部８と、を備える。具体的には、第二の筐体２に出力部５を更に備え、ヒンジ部３は、第一の筐体１と第二の筐体２を互いに開閉動作させる際に中心となる開閉軸と、第一の筐体１及び第二の筐体２を開いた状態で互いに回動動作させる際に中心となる回動軸とを備える二軸ヒンジであり、切り欠き部８は、第一の筐体１及び第二の筐体２を出力部５が露出するように折り畳んだ状態で操作部７と相対する。【選択図】図２
2010098641.tif 000002
【特許請求の範囲】
【請求項１】
第一の筐体と第二の筐体がヒンジ部を介して折り畳み可能に連結された端末装置であって、
前記第一の筐体の側面に設けられた操作部と、
前記第一の筐体及び第二の筐体を折り畳んだ状態で、前記操作部が相対する第二の筐体の側面に設けられた切り欠き部と、
を備えることを特徴とする端末装置。
【請求項２】
前記第二の筐体に出力部を更に備え、
前記ヒンジ部は、前記第一の筐体と第二の筐体を互いに開閉動作させる際に中心となる開閉軸と、前記第一の筐体及び第二の筐体を開いた状態で互いに回動動作させる際に中心となる回動軸とを備える二軸ヒンジであり、
前記切り欠き部は、前記第一の筐体及び第二の筐体を前記出力部が露出するように折り畳んだ状態で前記操作部と相対することを特徴とする請求項１に記載の端末装置。
【請求項３】
前記第一の筐体及び第二の筐体を前記出力部が隠れるように折り畳んだ状態で、前記切り欠き部が相対する前記第一の筐体の側面に外部機器の接続部を更に備えることを特徴とする請求項２に記載の端末装置。
【請求項４】
前記第一の筐体及び第二の筐体を前記出力部が隠れるように折り畳んだ状態で、前記切り欠き部が相対する前記第一の筐体の側面に第二の操作部を更に備えることを特徴とする請求項２に記載の端末装置。
【請求項５】
第一の筐体と第二の筐体がスライド機構を介してスライド可能に連結された端末装置であって、
前記第一の筐体の側面に設けられた操作部と、
前記第一の筐体及び第二の筐体を重ねた状態で、前記操作部が相対する第二の筐体の側面に設けられた切り欠き部と、
を備えることを特徴とする端末装置。
【請求項６】
前記第一の筐体及び第二の筐体を開いた状態或いは途中まで閉じた状態で、前記切り欠き部に相対する前記第一の筐体の側面に第二の操作部を更に備えることを特徴とする請求項５に記載の端末装置。
【請求項７】
前記第一の筐体にカメラ撮影機能部を更に備え、
前記操作部は前記カメラ撮影機能部で使用されることを特徴とする請求項１から６のいずれか一項に記載の端末装置。
【請求項８】
請求項１から７のいずれか一項に記載の端末装置を接続或いは載置する外部装置であって、
前記端末装置を接続或いは載置した際に前記切り欠き部が当該外部装置に当接しているか否かを検出する検出手段と、
前記検出手段により検出された検出結果に応じた制御を行なう制御手段と、
を備えることを特徴とする外部装置。
【発明の詳細な説明】
【技術分野】
【０００１】
本発明は、折り畳み式やスライド式の端末装置と、その端末装置を接続或いは載置する外部装置に関する。
【背景技術】
【０００２】
表示部を備える表示部筐体と操作部を備える操作部筐体を二軸ヒンジで連結するタイプの携帯端末において、ビュースタイル（ビュアーポジション）と呼ばれる、表示部を露出するように折り畳むことができるようになっているものがある。
【０００３】
このような二軸ヒンジタイプの携帯端末において、ビュースタイル時にカメラ撮影が行ないやすいように操作部筐体の側面にサイドキーと呼ばれる第二の操作部を備える技術が開示されている（例えば特許文献１参照）。すなわち、特許文献１では、ビュースタイル時、操作部筐体に配置されているサイドキーをズーム調整、シャッター及びメニュー表示のための操作キーとして用いる。
【特許文献１】特開２００５−３１８１６４号公報
【発明の開示】
【発明が解決しようとする課題】
【０００４】
しかしながら、特許文献１において、表示部筐体と操作部筐体は通常ほぼ同一のサイズであるため、ビュースタイルではサイドキーの手前に表示部筐体が来るので、表示部筐体に指が当たり、サイドキーが操作しにくく、特にシャッターボタンの場合は手振れを起こしやすいという問題があった。
【０００５】
本発明の課題は、筐体を閉じた状態でも、側面に設けられた操作部の操作を容易にすることである。
【課題を解決するための手段】
【０００６】
以上の課題を解決するため、請求項１に記載の発明は、第一の筐体と第二の筐体がヒンジ部を介して折り畳み可能に連結された端末装置であって、前記第一の筐体の側面に設けられた操作部と、前記第一の筐体及び第二の筐体を折り畳んだ状態で、前記操作部が相対する第二の筐体の側面に設けられた切り欠き部と、を備えることを特徴とする。
【０００７】
請求項２に記載の発明は、請求項１に記載の端末装置であって、前記第二の筐体に出力部を更に備え、前記ヒンジ部は、前記第一の筐体と第二の筐体を互いに開閉動作させる際に中心となる開閉軸と、前記第一の筐体及び第二の筐体を開いた状態で互いに回動動作させる際に中心となる回動軸とを備える二軸ヒンジであり、前記切り欠き部は、前記第一の筐体及び第二の筐体を前記出力部が露出するように折り畳んだ状態で前記操作部と相対することを特徴とする。
【０００８】
請求項３に記載の発明は、請求項２に記載の端末装置であって、前記第一の筐体及び第二の筐体を前記出力部が隠れるように折り畳んだ状態で、前記切り欠き部が相対する前記第一の筐体の側面に外部機器の接続部を更に備えることを特徴とする。
【０００９】
請求項４に記載の発明は、請求項２に記載の端末装置であって、前記第一の筐体及び第二の筐体を前記出力部が隠れるように折り畳んだ状態で、前記切り欠き部が相対する前記第一の筐体の側面に第二の操作部を更に備えることを特徴とする。
【００１０】
請求項５に記載の発明は、第一の筐体と第二の筐体がスライド機構を介してスライド可能に連結された端末装置であって、前記第一の筐体の側面に設けられた操作部と、前記第一の筐体及び第二の筐体を重ねた状態で、前記操作部が相対する第二の筐体の側面に設けられた切り欠き部と、を備えることを特徴とする。
【００１１】
請求項６に記載の発明は、請求項５に記載の端末装置であって、前記第一の筐体及び第二の筐体を開いた状態或いは途中まで閉じた状態で、前記切り欠き部に相対する前記第一の筐体の側面に第二の操作部を更に備えることを特徴とする。
【００１２】
請求項７に記載の発明は、請求項１から６のいずれか一項に記載の端末装置であって、前記第一の筐体にカメラ撮影機能部を更に備え、前記操作部は前記カメラ撮影機能部で使用されることを特徴とする。
【００１３】
請求項８に記載の発明は、請求項１から７のいずれか一項に記載の端末装置を接続或いは載置する外部装置であって、前記端末装置を接続或いは載置した際に前記切り欠き部が当該外部装置に当接しているか否かを検出する検出手段と、前記検出手段により検出された検出結果に応じた制御を行なう制御手段と、を備えることを特徴とする。
【発明の効果】
【００１４】
本発明によれば、筐体を閉じた状態であっても、側面に設けられた操作部に切り欠き部が相対することで指が当たりにくくなり操作しやすくなる。
【発明を実施するための最良の形態】
【００１５】
以下、図を参照して本発明を実施するための最良の形態を詳細に説明する。
（実施形態１）
先ず図１〜図３を用いて実施形態１を説明する。図１は本発明を適用した端末装置の実施形態１の構成として折り畳み式携帯電話を開いた状態の正面図（ａ）及び側面図（ｂ）で、図２は図１の携帯電話を折り畳んでカメラ撮影時を示した正面図、図３は図２のカメラ撮影時の携帯電話の側面図で、図２の矢印Ａ‐Ａ線に沿って切り欠き部の断面形状を示した図である。図中、１は第一の筐体、２は第二の筐体、３はヒンジ部、４はキー入力部、５は出力部、６はカメラ撮影機能部、７は操作部であるシャッターボタン、８は切り欠き部である。
【００１６】
図示のように、第一の筐体１と第二の筐体２はヒンジ部３を介して折り畳み可能（開閉可能）に結合されている。第一の筐体１にキー入力部４が設けられて、第二の筐体２に出力部である表示部５が設けられている。
【００１７】
さらに、第一の筐体１には、キー入力部４の裏面側にカメラ撮影機能部６が設けられるとともに、一側面にカメラ撮影機能部６の操作部であるシャッターボタン７が設けられている。シャッターボタン７は第一の筐体１の側面の一端側に設けられている。
【００１８】
ここで、ヒンジ部３は、第一の筐体１と第二の筐体２を互いに開閉動作させる際に中心となる図示しない開閉軸と、第一の筐体１及び第二の筐体２を開いた状態で互いに回動動作させる際に中心となる図示しない回動軸とを備える二軸ヒンジである。
【００１９】
そして、実施形態において、第二の筐体２には、第一の筐体１に重ねて折り畳んだ状態でシャッターボタン７が相対する側面及び他側面に一対の切り欠き部８が形成されている。この一対の切り欠き部８は、第一の筐体１及び第二の筐体２を表示部５が露出するように折り畳んだ状態で一方の切り欠き部８がシャッターボタン７と相対し、また、第一の筐体１及び第二の筐体２を表示部５が隠れるように折り畳んだ状態では他方の切り欠き部８がシャッターボタン７と相対する。
【００２０】
以上、実施形態１の折り畳み式携帯電話によれば、第一の筐体１の側面に設けられた操作部、すなわち、シャッターボタン７と、第一の筐体１及び第二の筐体２を折り畳んだ状態でシャッターボタン７が相対する第二の筐体２の側面に設けられた切り欠き部８とを備えることにより、図２及び図３に示すように、筐体１・２を閉じた状態であっても、側面に設けられたシャッターボタン７に切り欠き部８が相対することで、指が当たりにくくなり、操作しやすくなる。
【００２１】
特に、第一の筐体１及び第二の筐体２を出力部、すなわち、表示部５が露出するように折り畳んだビュースタイルと呼ばれる状態において、切り欠き部８がシャッターボタン７と相対するようにしたことで、カメラ撮影の使用状態であるビュースタイルでは側面に設けられたシャッターボタン７を操作しやすくすることができる。
【００２２】
このように、シャッターボタン７の操作がビュースタイルで容易となり、シャッターボタン７操作（押込み）時に不要な力も必要とせず、手振れ等を軽減することができる。
【００２３】
なお、実施形態１では、一対の切り欠き部８の他方は必ずしも必要としない。
【００２４】
（実施形態２）
引き続き図４〜図５を用いて実施形態２を説明する。図４は本発明を適用した端末装置の実施形態２の構成としてスライド式携帯電話を開いた状態の正面図（ａ）及び側面図（ｂ）で、図５は図４の携帯電話を閉じてカメラ撮影時を示した正面図である。図中、１１は第一の筐体、１２は第二の筐体、１３はスライド機構部、１４はキー入力部、１５は出力部、１６はカメラ撮影機能部、１７は操作部であるシャッターボタン、１８は切り欠き部である。
【００２５】
図示のように、第一の筐体１１と第二の筐体１２はスライド機構部１３を介してスライド可能（開閉可能）に結合されている。第一の筐体１１にキー入力部１４が設けられて、第二の筐体１２に出力部である表示部１５が設けられている。
【００２６】
さらに、第一の筐体１１には、キー入力部１４の裏面側にカメラ撮影機能部１６が設けられるとともに、一側面にカメラ撮影機能部１６の操作部であるシャッターボタン１７が設けられている。シャッターボタン１７は第一の筐体１１の側面の一端側に設けられている。
【００２７】
以上の第一の筐体１１のキー入力部１４を設けた面上に、第二の筐体１２が表示部１５を上にしてスライド機構部１３により結合されている。
【００２８】
そして、実施形態において、第二の筐体１２には、第一の筐体１１に重ねた状態でシャッターボタン１７が相対する側面及び他側面に一対の切り欠き部１８が形成されている。この一対の切り欠き部１８の一方は、第一の筐体１１及び第二の筐体１２をキー入力部１４が隠れるように重ねた状態でシャッターボタン１７と相対する。
【００２９】
以上、実施形態２のスライド式携帯電話によれば、第二の筐体１２の側面に配置された操作部、すなわち、シャッターボタン１７と、第一の筐体１１及び第二の筐体１２を閉じた状態でシャッターボタン１７が相対する第一の筐体１１の側面に設けられた切り欠き部１８とを備えることにより、筐体１１・１２を閉じた状態であっても、側面に設けられたシャッターボタン１７に切り欠き部１８が相対することで、指が当たりにくくなり、操作しやすくなる。
【００３０】
従って、カメラ撮影の使用状態である閉じた状態では側面に設けられたシャッターボタン１７を操作しやすくすることができ、シャッターボタン７操作（押込み）時に不要な力も必要とせず、手振れ等を軽減することができる。
【００３１】
なお、実施形態２では、一対の切り欠き部１８の他方は必ずしも必要としない。
【００３２】
（実施形態３）
更に図６を用いて実施形態３を説明する。図６は図３と同様の側面図で、本実施形態３の切り欠き部の断面形状を示したものであり、前述した実施形態１と同様、図中、１は第一の筐体、２は第二の筐体、６はカメラ撮影機能部、７は操作部であるシャッターボタン、８は切り欠き部である。
【００３３】
すなわち、実施形態１の図３においては、切り欠き部８の底面をフラット形状としたが、実施形態３では、図６に示したように、切り欠き部８の底面を、第二の筐体２の正面側からは見えない傾斜形状としている。
【００３４】
このように、切り欠き部８の底面を傾斜形状とすれば、シャッターボタン７を操作しやすくしながら、第二の筐体２の正面側からは見えなくして見栄えを良くすることも可能となる。
【００３５】
（実施形態４）
更に図７〜図８を用いて実施形態４を説明する。図７は図２と同様の正面図で、本実施形態４の切り欠き部を示したものであり、図８は図７の状態から表示部を裏返して非カメラ撮影時を示した図で、前述した実施形態１と同様、図中、１は第一の筐体、２は第二の筐体、３はヒンジ部、５は表示部、７は操作部であるシャッターボタン、８は切り欠き部である。
【００３６】
すなわち、実施形態４では、図示のように、第二の筐体２には、第一の筐体１に重ねて折り畳んだ状態でシャッターボタン７が相対する側面にのみ切り欠き部８を形成している。
【００３７】
以上、実施形態４の折り畳み式携帯電話によれば、前述した実施形態１と同様に、ビュースタイルでは側面に設けられたシャッターボタン７が操作しやすいように切り欠き部８が相対する他、図８に示すように、非使用状態である表示部５が隠れるように折り畳んだ状態では側面に設けられたシャッターボタン７が不用意に操作されないように切り欠き部８が相対しないようにすることができる。
【００３８】
（実施形態５）
更に図９を用いて実施形態５を説明する。図９は図８の状態の部分底面図で、実施形態５の外部機器の接続部を示したものであり、前述した実施形態１と同様、図中、１は第一の筐体、２は第二の筐体、８は切り欠き部であって、９は外部機器の接続部である。
【００３９】
すなわち、実施形態５では、非使用状態である表示部５が隠れるように折り畳んだ状態（図８参照）において、図９に示すように、第二の筐体２の切り欠き部８が相対する第一の筐体１の側面に外部機器の接続部であるメモリカードの挿入口（またはケーブルのコネクタ）９を設けている。
【００４０】
以上、実施形態５の折り畳み式携帯電話によれば、第一の筐体１及び第二の筐体２を表示部５が隠れるように折り畳んだ状態において、第二の筐体２の切り欠き部８が相対する第一の筐体１の側面に設けられた外部機器の接続部、すなわち、メモリカードの挿入口（またはケーブルのコネクタ）９を更に備えることより、そのメモリカードの挿入口（またはケーブルのコネクタ）９に切り欠き部８が相対することで、非使用状態である表示部５が隠れるように折り畳んだ状態で行なうことが推奨される記録媒体の着脱やケーブルの着脱を行ないやすくすることができる。
【００４１】
（実施形態６）
更に図１０を用いて実施形態６を説明する。図１０は図５の状態からスライド式携帯電話を途中まで閉じた状態（或いは途中まで開いた状態）を示す正面図で、実施形態６の第二の操作部を示したものであり、前述した実施形態２と同様、図中、１１は第一の筐体、１２は第二の筐体、１５は表示部、１７は操作部であるシャッターボタン、１８は切り欠き部であって、２１・２２は第二の操作部である。
【００４２】
すなわち、図示のように、実施形態６では、第一の筐体１１の一側面にシャッターボタン１７の他、第二の操作部である二つのサイドキー２１・２２が設けられている。ここで、シャッターボタン１７は第一の筐体１１の側面の一端側に設けられ、サイドキー２１は第一の筐体１１の側面の中間部に設けられて、サイドキー２２は第一の筐体１１の側面の他端側に設けられている。
【００４３】
そして、切り欠き部１８は、第一の筐体１１及び第二の筐体１２をキー入力部１４が隠れるように重ねた状態でシャッターボタン１７と相対し、第一の筐体１１及び第二の筐体１２を途中まで閉じた状態（或いは途中まで開いた状態）でサイドキー２１と相対し、第一の筐体１１及び第二の筐体１２をキー入力部１４が露出するように開いた状態でサイドキー２２と相対する。
【００４４】
以上、実施形態６のスライド式携帯電話によれば、第一の筐体１１及び第二の筐体１２を途中まで閉じた状態とキー入力部１４が露出するように開いた状態で、切り欠き部１８に相対する第二の筐体１２の側面に設けられた第二の操作部、すなわち、サイドキー２１・２２を更に備えることにより、筐体１１・１２を途中まで閉じた状態とキー入力部１４が露出するように開いた状態で使用するサイドキー２１・２２に切り欠き部１８が順次相対することで、使用するサイドキー２１・２２が明確になるとともに、指が当たりにくくなり、操作しやすくなる。
【００４５】
なお、実施形態６において、第二の筐体１２の反対側にも切り欠き部１８を設けて、その反対側の切り欠き部１８と相対する位置にサイドキー２１・２２等を設けても良い。
【００４６】
（実施形態７）
更に図１１〜図１３を用いて実施形態７を説明する。図１１は本実施形態７を示すもので、端末装置と外部装置を離れた状態で示した正面図であり、図１２は図１１の端末装置を外部装置に載置した状態でのカメラ撮影時を示した図で、図１３は図１２の状態から表示部を裏返して非カメラ撮影時を示した図である。前述した実施形態４と同様、図中、１は第一の筐体、２は第二の筐体、３はヒンジ部、５は表示部、７は操作部であるシャッターボタン、８は切り欠き部であって、３０は外部装置、３１は該外部装置３０に具備されている検出手段、である。
【００４７】
実施形態７では、図示のように、実施形態４と同様、第二の筐体２には、第一の筐体１に重ねて折り畳んだ状態でシャッターボタン７が相対する側面にのみ切り欠き部８を形成した折り畳み式携帯電話を使用している。
【００４８】
そして、外部装置として携帯電話を載置接続する充電用及び/またはデータ通信用等のクレードル３０を用いている。このクレードル３０には、携帯電話を載置接続した際にその切り欠き部８が当該クレードル３０に当接しているか否かを検出する検出スイッチ３１が備えられている。さらに、クレードル３０には、検出スイッチ３１により検出された検出結果に応じた制御を行なう図示しない制御手段が内蔵されている。
【００４９】
図１２はビュースタイルで携帯電話をクレードル３０にセットしたもので、図示のように、検出スイッチ３１は第二の筐体２の側面に当接して押し込まれている。
【００５０】
図１３は非ビュースタイルで携帯電話をクレードル３０にセットしたもので、図示のように、検出スイッチ３１は第二の筐体２の側面の切り欠き部８内に位置して突出した状態のままとなっている。
【００５１】
以上、実施形態８のクレードル３０によれば、図１２、図１３に示したように、携帯電話を載置して接続した際に切り欠き部８が当該クレードル３０に当接しているか否かを検出スイッチ３１により検出し、その検出結果に応じた制御を行なうことによって、ユーザが使用しながら充電等を行なうためにクレードル３０に載置接続したのか、或いは使用せずに充電等を行なうために載置接続したのかを判別できるので、使用しないと判別された場合のみウィルスチェックを行なうといった制御が可能となる。
【００５２】
なお、実施形態７では、クレードルに折り畳み式携帯電話を載置接続したが、スライド式携帯電話を載置接続しても良い。
また、実施形態７では、携帯電話を載置接続するクレードルとしたが、クレードルに限らず、携帯電話を接続のみする外部装置でも良く、少なくとも携帯電話を接続或いは載置する外部装置であれば良い。
【００５３】
（実施形態８）
実施形態８は、前述した実施形態５の図９において、外部機器の接続部に代えて、第二の操作部であるスイッチ９を設けたものである。このスイッチ９としては、例えばスイッチ９を操作すると電源をオンして該当する機能を立ち上げるような処理を行うように設定されているものが好ましい。
【００５４】
以上、実施形態８の折り畳み式携帯電話によれば、第一の筐体１及び第二の筐体２を表示部５が隠れるように折り畳んだ状態で切り欠き部８に相対する第二の操作部、すなわち、スイッチ９を更に備えるようにしたことで、非使用状態である表示部５が隠れるように折り畳んだ状態であってもスイッチ９を操作すると電源をオンして該当する機能を立ち上げるような処理を行うように設定されているような場合に、スイッチ９を操作しやすくすることができる。
【００５５】
（変形例）
なお、以上の実施形態においては、携帯電話としたが、本発明はこれに限定されるものではなく、カメラ、ＰＤＡ、ノートパソコン、ウェアラブルパソコン、電卓、電子辞書、その他の端末装置すべてに用いることができる。
また、実施形態では、出力部として表示部としたが、スピーカ等であっても良い。
さらに、実施形態では、操作部としてシャッターボタンとしたが、ズームボタンでも良く、他の機能の操作部であっても良い。
また、テレビ機能を有する携帯電話の場合には、本発明の適用はカメラ関係、シャッターボタンに限定されるものではなく、操作部としてテレビチャンネルボタン、ボリュームボタン、であっても構わない。
また、ヒンジ部としては、二軸ヒンジに限らず一軸ヒンジであっても良い。
そして、筐体や操作部や切り欠き部の形状等も任意であり、その他、具体的な細部構造等についても適宜に変更可能であることは勿論である。
【図面の簡単な説明】
【００５６】
【図１】本発明を適用した端末装置の実施形態１の構成を示すもので、折り畳み式携帯電話を開いた状態の正面図（ａ）及び側面図（ｂ）である。
【図２】図１の携帯電話を折り畳んでカメラ撮影時を示した正面図である。
【図３】図２のカメラ撮影時の携帯電話の側面図で、図２の矢印Ａ‐Ａ線に沿って切り欠き部の断面形状を示した図である。
【図４】本発明を適用した端末装置の実施形態２の構成を示すもので、スライド式携帯電話を開いた状態の正面図（ａ）及び側面図（ｂ）である。
【図５】図４の携帯電話を閉じてカメラ撮影時を示した正面図である。
【図６】図３と同様の側面図で、実施形態３の切り欠き部の断面形状を示した図である。
【図７】図２と同様の正面図で、実施形態４の切り欠き部を示した図である。
【図８】図７の状態から表示部を裏返して非カメラ撮影時を示した図である。
【図９】図８の状態の部分底面図で、実施形態５の外部機器の接続部を示した図である。
【図１０】図５の状態からスライド式携帯電話を途中まで閉じた状態（或いは途中まで開いた状態）を示す正面図で、実施形態６の第二の操作部を示した図である。
【図１１】実施形態７を示すもので、端末装置と外部装置を離れた状態で示した正面図である。
【図１２】図１１の端末装置を外部装置に載置した状態でのカメラ撮影時を示した図である。
【図１３】図１２の状態から表示部を裏返して非カメラ撮影時を示した図である。
【符号の説明】
【００５７】
１  第一の筐体
２  第二の筐体
３  ヒンジ部
４  キー入力部
５  出力部
６  カメラ撮影機能部
７  操作部
８  切り欠き部
９  外部機器の接続部（第二の操作部）
１１  第一の筐体
１２  第二の筐体
１３  ヒンジ部
１４  キー入力部
１５  出力部
１６  カメラ撮影機能部
１７  操作部
１８  切り欠き部
２１・２２  第二の操作部
３０  外部装置
３１  検出手段
【図１】
2010098641.tif 000003
【図２】
2010098641.tif 000004
【図３】
2010098641.tif 000005
【図４】
2010098641.tif 000006
【図５】
2010098641.tif 000007
【図６】
2010098641.tif 000008
【図７】
2010098641.tif 000009
【図８】
2010098641.tif 000010
【図９】
2010098641.tif 000011
【図１０】
2010098641.tif 000012
【図１１】
2010098641.tif 000013
【図１２】
2010098641.tif 000014
【図１３】
2010098641.tif 000015